(57)【要約】【課題】ドロップケーブル、ジャンパケーブルのような細径光ファイバケーブルを多数本に収納するに適しており、また、各ドロップケーブル毎の防水性能が高く各ドロップケーブルから伝わってくる水滴を遮断することができ、しかも、ドロップケーブル収納作業が簡便容易となされた防滴型ケーブル接続箱を提供する。【解決手段】接続箱本体１は、両側部の重力方向（下方）部分に、ケーブルが外方側から接続箱本体１内に導入されるケーブル導入部１ｂ，１ｂを有し、蓋体２が接続箱本体１に対して閉蓋されたとき、各ケーブル導入部１ｂ，１ｂ近傍には、蓋体２及び接続箱本体１が共働して接続箱本体１の内方部に対して隔絶された略三角形状の防水スペース４，４を構成する。【選択図】図１
2007206124.tif 000002
【特許請求の範囲】
【請求項１】
前面側が開放された接続箱本体と、前記接続箱本体の前面側を開閉可能に覆う蓋体とを備えた防滴型ケーブル接続箱であって、
接続箱本体は、両側部の重力方向部分に、少なくとも一のケーブルがこの接続箱本体の外方側からこの接続箱本体内に導入されるケーブル導入部を有し、
前記蓋体が前記接続箱本体に対して閉蓋されたとき、前記各ケーブル導入部近傍には、前記蓋体及び前記接続箱本体が共働して、前記接続箱本体の内方部に対して隔絶された防水スペースが構成される
ことを特徴とする防滴型ケーブル接続箱。
【請求項２】
前記防水スペースは、前記接続箱本体のケーブル導入部となる両側部の重力方向部分と、前記接続箱本体内においてこの接続箱本体の側部より下縁部に亘って形成されたケーブル保持板と、前記接続箱本体の下縁部の両側部分と、これらに対応する前記蓋体の両側部の重力方向部分と、前記蓋体においてこの蓋体の側部より下縁部に亘って形成された隔壁と、前記蓋体の下縁部の両側部分とにより構成され、
前記ケーブル導入部には、少なくとも一のケーブルを把持するための複数のケーブル把持片からなるケーブル把持部が形成されているとともに、前記ケーブル保持板には、ケーブルが挿入されるための少なくとも一の凹部が形成されている
ことを特徴とする請求項１記載の防滴型ケーブル接続箱。
【請求項３】
前記ケーブル把持部が複数形成されている場合には、下側のケーブル把持部よりも上側のケーブル把持部がケーブルを把持する長さが短くなっており、少なくとも最も上側のケーブル把持部においては、このケーブル把持部の内側に、このケーブル把持部の内側端を閉塞する可撓性材料からなるシャッタ板が設けられている
ことを特徴とする請求項２記載の防滴型ケーブル接続箱。
【請求項４】
前記接続箱本体には、前記ケーブル導入部の外方側となる位置に、複数のケーブル押さえフィンが設けられており、これらケーブル押さえフィンは、先端側が鈎状に形成されており、前記ケーブル把持部により把持されているケーブルを挟持するとともに、鈎状の先端側部分によって該ケーブルを保持する
ことを特徴とする請求項２、または、請求項３記載の防滴型ケーブル接続箱。
【請求項５】
前記防水スペースは、略三角形状に構成されている
ことを特徴とする請求項２乃至請求項４のいずれか一に記載の防滴型ケーブル接続箱。
【発明の詳細な説明】
【技術分野】
【０００１】
本発明は、光ファイバケーブルの接続部に用いられる防滴型ケーブル接続箱に関する。
【背景技術】
【０００２】
図９は、従来の光ファイバケーブル用の防滴型ケーブル接続箱１０１の一例を示す側面図である。この防滴型ケーブル接続箱１０１の内部には、光ファイバケーブル１１０の接続部が収容される。この防滴型ケーブル接続箱１０１は、図９に示すように、前面（同図中の右方）に開口部１０２ａを持つ接続箱本体１０２と前記開口部１０２ａを閉ざす蓋体１０３とを備えている。接続箱本体１０２は、この接続箱本体１０２の背面に固定したＬ字形の吊り下げ金具１０４を介して、メッセンジャワイヤ１０５に取り付けられている。吊り下げ金具１０４は、Ｌ字形に形成され、上部においてクランプ板１０６と共働してメッセンジャワイヤ１０５を挟み、この吊り下げ金具１０４に対してボルト１０７によりクランプ板１０６が締め付けられることにより、メッセンジャワイヤ１０５に固定されている。
【０００３】
接続箱本体１０２の開口部１０２ａの周囲には、ゴム、あるいは、エラストマからなるガスケット１０８が配置され、蓋体１０３をボルト１０９で接続箱本体１０２に固定する際に、ガスケット１０８を押し潰すように強くボルト締めすることで、防滴（防水）作用が得られるようになっている。
【０００４】
また、特許文献１には、接続箱本体に対し、ガスケットが取付けられた蓋体をヒンジにより結合して、接続箱本体の内部を封止するとともに、接続箱本体の上部壁を傾斜させることにより、防滴（防水）効果を高めた防滴型ケーブル接続箱が記載されている。
【０００５】
さらに、特許文献２には、接続箱本体内に防水エリアを有する防滴型ケーブル接続箱（分岐ケーブル接続部用クロージャ）が記載されている。
【０００６】
【特許文献１】特開２００１−５７７３４公報
【特許文献２】特開２００４−０５４１４８公報
【発明の開示】
【発明が解決しようとする課題】
【０００７】
前述の従来の防滴型ケーブル接続箱の構造は、主ケーブルの分岐接続用に用いられ、ドロップケーブル、ジャンパケーブルのような細径光ファイバケーブルを多数本に収納するには不適当であった。
【０００８】
また、加入者宅にドロップケーブルを引き落とす際に接続箱を開閉して、ドロップケーブルと接続箱内のスプリッタ分岐心線との接続を行うが、ドロップケーブルは細径であるので、各ドロップケーブルから伝わってくる水滴を遮断するには各ドロップケーブル毎の防水性能が高く、しかもドロップケーブル収納作業が簡便容易な接続箱が求められていた。
【０００９】
本発明は上記従来の技術における欠点を解消するためになされたものであり、ドロップケーブル、ジャンパケーブルのような細径光ファイバケーブルを多数本に収納するに適しており、また、各ドロップケーブル毎の防水性能が高く各ドロップケーブルから伝わってくる水滴を遮断することができ、しかも、ドロップケーブル収納作業が簡便容易となされた防滴型ケーブル接続箱を提供することを目的とする。
【課題を解決するための手段】
【００１０】
本発明に係る防滴型ケーブル接続箱は、以下の構成のいずれか一を有する。
【００１１】
〔構成１〕
前面側が開放された接続箱本体と接続箱本体の前面側を開閉可能に覆う蓋体とを備えた防滴型ケーブル接続箱であって、接続箱本体は、両側部の重力方向部分に、少なくとも一のケーブルがこの接続箱本体の外方側からこの接続箱本体内に導入されるケーブル導入部を有し、蓋体が接続箱本体に対して閉蓋されたとき、各ケーブル導入部近傍には、蓋体及び接続箱本体が共働して、接続箱本体の内方部に対して隔絶された防水スペースが構成されることを特徴とするものである。
【００１２】
本構成を有することにより、防水スペースが水切り構造となり、ケーブルを伝わる水滴が防水スペースにおいて遮断される。
【００１３】
〔構成２〕
構成１を有する防滴型ケーブル接続箱において、防水スペースは、接続箱本体のケーブル導入部となる両側部の重力方向部分と、接続箱本体内においてこの接続箱本体の側部より下縁部に亘って形成されたケーブル保持板と、接続箱本体の下縁部の両側部分と、これらに対応する蓋体の両側部の重力方向部分と、蓋体においてこの蓋体の側部より下縁部に亘って形成された隔壁と、蓋体の下縁部の両側部分とにより構成され、ケーブル導入部には、少なくとも一のケーブルを把持するための複数のケーブル把持片からなるケーブル把持部が形成されているとともに、ケーブル保持板には、ケーブルが挿入されるための少なくとも一の凹部が形成されていることを特徴とするものである。
【００１４】
本構成を有することにより、複数のケーブル把持片からなるケーブル把持部が、ケーブルを伝わる水滴による浸水の勢いを止める。ケーブル把持部を通過した水滴があった場合にも、この水滴は、防水スペースにおいて遮断される。
【００１５】
〔構成３〕
構成２を有する防滴型ケーブル接続箱において、ケーブル把持部が複数形成されている場合には、下側のケーブル把持部よりも上側のケーブル把持部がケーブルを把持する長さが短くなっており、少なくとも最も上側のケーブル把持部においては、このケーブル把持部の内側に、このケーブル把持部の内側端を閉塞する可撓性材料からなるシャッタ板が設けられていることを特徴とするものである。
【００１６】
本構成を有することにより、可撓性材料からなるシャッタ板が、ケーブルを伝わる水滴による浸水の勢いを止める。ケーブル把持部を通過した水滴があった場合にも、この水滴は、防水スペースにおいて遮断される。
【００１７】
〔構成４〕
構成２、または、構成３を有する防滴型ケーブル接続箱において、接続箱本体には、ケーブル導入部の外方側となる位置に、複数のケーブル押さえフィンが設けられており、これらケーブル押さえフィンは、先端側が鈎状に形成されており、ケーブル把持部により把持されているケーブルを挟持するとともに、鈎状の先端側部分によって該ケーブルを保持することを特徴とするものである。
【００１８】
本構成を有することにより、ケーブル押さえフィンが、ケーブルを挟持するとともに鈎状の先端側部分によって該ケーブルを保持するので、ケーブルが抜け落ちることがない。
【００１９】
〔構成５〕
構成２乃至構成４のいずれか一を有する防滴型ケーブル接続箱において、防水スペースは、略三角形状に構成されていることを特徴とするものである。
【００２０】
本構成を有することにより、防滴型ケーブル接続箱内において防水スペースを空間効率よく構成することができる。
【発明の効果】
【００２１】
〔構成１〕を有する本発明に係る防滴型ケーブル接続箱においては、蓋体が接続箱本体に対して閉蓋されたときに蓋体及び接続箱本体が共働して接続箱本体の内方部に対して隔絶された略三角形状の防水スペースを構成するので、この防水スペースが水切り構造となり、ケーブルを伝わる水滴が防水スペースにおいて遮断される。
【００２２】
したがって、本発明に係る防滴型ケーブル接続箱においては、従来の防滴型ケーブル接続箱のように別体の防水パッキングを使用する必要がないので、安価な一体成形構造により、良好な防滴（防水）効果を得ることができる。
【００２３】
〔構成２〕を有する本発明に係る防滴型ケーブル接続箱においては、複数のケーブル把持片からなるケーブル把持部が、ケーブルを伝わる水滴による浸水の勢いを止め、また、ケーブル把持部を通過した水滴があった場合にも、この水滴は、防水スペースにおいて遮断される。
【００２４】
〔構成３〕を有する本発明に係る防滴型ケーブル接続箱においては、可撓性材料からなるシャッタ板が、ケーブルを伝わる水滴による浸水の勢いを止め、また、ケーブル把持部を通過した水滴があった場合にも、この水滴は、防水スペースにおいて遮断される。
【００２５】
〔構成４〕を有する本発明に係る防滴型ケーブル接続箱においては、ケーブル押さえフィンが、ケーブルを挟持するとともに鈎状の先端側部分によって該ケーブルを保持するので、ケーブルが抜け落ちることがない。
【００２６】
〔構成５〕を有する本発明に係る防滴型ケーブル接続箱においては、防水スペースは、略三角形状に構成されているので、防滴型ケーブル接続箱内において防水スペースを空間効率よく構成することができる。
【００２７】
すなわち、本発明は、ドロップケーブル、ジャンパケーブルのような細径光ファイバケーブルを多数本に収納するに適しており、また、各ドロップケーブル毎の防水性能が高く各ドロップケーブルから伝わってくる水滴を遮断することができ、しかも、ドロップケーブル収納作業が簡便容易となされた防滴型ケーブル接続箱を提供することができるものである。
【００２８】
なお、本発明に係る防滴型ケーブル接続箱は、現在、市場投入されている光ファイバケーブルや、すべての光配線部品に対して適用可能である。
【発明を実施するための最良の形態】
【００２９】
以下、本発明を実施するための最良の形態について図面を参照して説明する。
【００３０】
図１は、本発明の一実施形態の防滴型ケーブル接続箱の構成を一部を破断して示す斜視図である。以下、本発明では図１にて紙面方向を作業面側あるいは前面側、同図紙面裏側を背面側、同図紙面上下方向を上側およぴ下側、同図左右方向を両側という場合がある。
【００３１】
この防滴型ケーブル接続箱は、図１に示すように、前面側が開放された接続箱本体１と、この接続箱本体１の前面側を開閉可能に覆う蓋体２とを備えた防滴型ケーブル接続箱である。接続箱本体１は、この接続箱本体１の背面に固定した図示しないＬ字形の吊り下げ金具などにより、例えば、架空に張られたメッセンジャワイヤなどに取り付けられる。
【００３２】
蓋体２は、接続箱本体１の下部のヒンジ３を介して、図１中の矢印Ａで示すように、上下方向に開閉可能に取り付けられている。この蓋体２は、接続箱本体１の前面側に面する蓋面部２ａと、この蓋面部２ａの外周に沿って形成され接続箱本体１の両側部、上縁部及び下縁部面を覆う周壁部２ｂとを備えている。
【００３３】
図２は、前記防滴型ケーブル接続箱の接続箱本体の構成を示す斜視図である。
【００３４】
接続箱本体１の開口された前面側の縁近傍の外周には、図２に示すように、この外周面から突出されたリブ１ａが形成されている。また、接続箱本体１は、両側部の架線に吊り下げられた状態での重力方向（下方）部分に、少なくとも一の光ファイバケーブル（以下、「ケーブル」という場合がある。）２０１がこの接続箱本体の外方側からこの接続箱本体１内に導入されるケーブル導入部１ｂ，１ｂを有している。接続箱本体１内に導入された光ファイバケーブル２０１は、この接続箱本体１内において、他のケーブル２０１に対して接続され、あるいは、分岐される。
【００３５】
また、本体底部の上にはプラスチック製の光ファイバ収納ケース３ａ（以下、収納ケースという）が複数個積層されている。
【００３６】
各収納ケースは中空で薄板状をなしており、その上部の蓋は開閉可能で、収納ケース内から光ファイバを取り出したり、収納ケース内に光ファイバ配置するなどの配線作業ができるようになっている。
【００３７】
各収納ケース端部はヒンジ結合されており、各収納ケース毎に単独で上下に回転することができるとともに、各収納ケースは作業がしやすいように、上下方向に次第にずらすように積層されている（図１）。
【００３８】
最下段の収納ケースはスプリッタが収納されるスプリッタの収納ケースであり、スプリッタから複数本分岐した単心光ファイバが上段の各収納ケースに収められている。
【００３９】
以上の構成により、作業対象とする収納ケースの光ファイバに、外部から導入される光ファィバと接続するには、まず、対象となる収納ケースの上側の収納ケースを全て回転させて倒した後に、蓋を開けて目的の光ファイバを取り出す。そして、融着、コネクタ接続等により収納されている光ファイバと外部から導入される他の光ファイバと接続する。その後、接続余長とともに再度収納ケースに収めて蓋をすることにより分岐接続作業が完了する。
【００４０】
この防滴型ケーブル接続箱において、蓋体２が接続箱本体１に対して閉蓋されたとき、図１に示すように、各ケーブル導入部１ｂ，１ｂの近傍には、蓋体２及び接続箱本体１が共働して、接続箱本体１の内方部に対して隔絶された防水スペース４，４が構成される。この防水スペース４，４は、水切り構造となり、各ケーブル導入部１ｂ，１ｂから接続箱本体１内に導入されるケーブルを伝わる水滴が、各防水スペース４，４において遮断される。この防水スペース４，４の形状は、空間効率の観点から、好ましくは、略三角形状である。ここで共働とは、蓋体２を閉じたときに、蓋体２に形成されている隔壁６の先端とケーブル保持板５の先端との位置が一致することにより区画されたスペースを形成するという意味である。
【００４１】
図３は、前記防滴型ケーブル接続箱の構成（蓋体を開蓋した状態の正面側）を示す斜視図である。
【００４２】
図４は、前記防滴型ケーブル接続箱の構成（蓋体を開蓋した状態の背面側）を示す斜視図である。
【００４３】
防水スペース４，４は、図１、図３及び図４に示すように、接続箱本体１のケーブル導入部１ｂ，１ｂとなる両側部の重力方向（下方）部分と、接続箱本体１内においてこの接続箱本体１の側部より下縁部に亘って形成されたケーブル保持板５，５と、接続箱本体１の下縁部の両側部分１ｃ，１ｃと、これらに対応する蓋体２の両側部の重力方向（下方）部分と、蓋体２においてこの蓋体２の側部より下縁部に亘って形成された隔壁６，６と、蓋体２の下縁部の両側部分とにより構成されている。ケーブル保持板５，５には、ケーブル２０１が挿入されるための少なくとも一の凹部７が形成されている。
【００４４】
ここで対象となる光ファイバケーブルは、例えば加入者に引き落とされる小断面のドロップケーブルである。ドロップケーブルの断面形状は概ね角形であり、２本のテンションメンバの間に光ファイバを配列した構造のものが採用されている。
【００４５】
このような断面形状の光ファイバケーブルを収納するために保持板５に形成された凹部７の断面もケーブル外径に沿った角形とされている。
【００４６】
図５は、前記防滴型ケーブル接続箱の接続箱本体の要部（防水スペース）の構成を示す斜視図である。
【００４７】
この防滴型ケーブル接続箱において、ケーブル２０１は、図５に示すように、各ケーブル導入部１ｂ，１ｂより、各防水スペース４，４及びケーブル保持板５，５の凹部７を経て、接続箱本体１内に導入される。
【００４８】
図６は、前記防滴型ケーブル接続箱の接続箱本体の要部（ケーブル把持片）の構成を示す斜視図である。
【００４９】
ケーブル導入部１ｂ，１ｂには、図５及び図６に示すように、少なくとも一のケーブル２０１を把持するための複数のケーブル把持片８からなるケーブル把持部９が形成されている。２つのケーブル把持片８，８の間がケーブル把持部９となる。すなわち、ケーブル把持片８は仕切板であり、ケーブル２０１は、２つのケーブル把持片８，８によって挟まれることにより、ケーブル把持部９において把持される。このケーブル把持部９は、ケーブル２０１の太さに略等しい幅に形成されている。また、各ケーブル把持片８，８は、接続箱本体１の側部より、ケーブル保持板５の凹部７に向けて、やや湾曲した形状として形成されている。
【００５０】
この防滴型ケーブル接続箱においては、複数のケーブル把持片８からなるケーブル把持部９により、ケーブル２０１を伝わって接続箱本体１の外方より接続箱本体１内に進入しようとする水滴による浸水の勢いが止められる。また、ケーブル把持部９を通過した水滴があった場合にも、この水滴は、防水スペース４，４において遮断され、さらに接続箱本体１内に進入することがない。
【００５１】
さらに、この防滴型ケーブル接続箱においては、各ケーブル把持片８，８がやや湾曲した形状として形成されていおり、また、ケーブル保持板５，５が傾斜して形成されているため、各ケーブル２０１が下側から上側（接続箱本体１の中心部側）に向けて湾曲され、各ケーブル２０１をつたわる水滴は下方に落下することによって、この防滴型ケーブル接続箱の外方側に排出される。
【００５２】
図７は、前記防滴型ケーブル接続箱の接続箱本体の要部（シャッタ板）の構成を示す斜視図である。
【００５３】
そして、この防滴型ケーブル接続箱においては、図６及び図７に示すように、ケーブル把持部９が複数形成されている場合において、下側のケーブル把持部９よりも、上側のケーブル把持部９ほど、ケーブル２０１を把持する長さが短くなっている。すなわち、ケーブル把持片８の長さが、上側ほど短くなされている。上側のケーブル把持部９ほどケーブル２０１を把持する長さが短くなっているのは、ケーブル保持板５，５が傾斜して形成されているためである。すなわち、ケーブル把持部９とケーブル保持板５，５との間隔が狭くなることを防止して、これらケーブル把持部９及びケーブル保持板５，５間でケーブル２０１が急峻に曲げられることを防止するためである。
【００５４】
そして、少なくとも最も上側のケーブル把持部９においては、このケーブル把持部９の内側に、このケーブル把持部９の内側端を閉塞するシャッタ板１０が設けられている。この実施の形態においては、シャッタ板１０は、最も上側のケーブル把持部９及び上から２番目のケーブル把持部９の２箇所に設けられている。このシャッタ板１０は、ゴム等の可撓性材料からなり、対応するケーブル把持部９においてケーブル２０１が把持される場合には、このケーブル２０１に押されて変形し、ケーブル２０１の周囲を囲むようになっている。あるいは、シャッタ板１０は、比較的硬質な樹脂を用いる場合には変形せずに倒れて、板の先端でケーブル２０を押し付けているだけであってもよい。
【００５５】
この防滴型ケーブル接続箱においては、シャッタ板１０により、ケーブル２０１を伝わって接続箱本体１の外方より接続箱本体１内に進入しようとする水滴による浸水の勢いが止められる。特に上側のケーブル２０１を伝わって接続箱本体１内に進入する水滴が多くても、上側のケーブル把持部９ほどケーブル２０１を把持する長さが短くなっているが、シャッタ板１０を設けることによって、防水性を確保されるようになっている。また、シャッタ板１０を越えて進入した水滴があった場合にも、この水滴は、防水スペース４，４において遮断され、さらに接続箱本体１内に進入することがない。
【００５６】
図８は、前記防滴型ケーブル接続箱の接続箱本体の要部（ケーブル押さえフィン）の構成を示す斜視図である。
【００５７】
さらに、この防滴型ケーブル接続箱においては、図７及び図８に示すように、接続箱本体１には、ケーブル導入部１ｂ，１ｂの外方側となる位置に、複数のケーブル押さえフィン１１が設けられている。これらケーブル押さえフィン１１は、先端側が鈎状の形状に形成されている。これらケーブル押さえフィン１１は、ケーブル押さえフィン１１同士の間がそれぞれケーブル把持部９に対応して連通する位置となるように形成されている。すなわち、これらケーブル押さえフィン１１は、ケーブル把持部９によって把持されているケーブル２０１を挟持するとともに、鈎状の先端側部分によって、該ケーブル２０１が外れないように保持する。
【００５８】
この防滴型ケーブル接続箱においては、これらケーブル押さえフィン１１が設けられていることにより、ケーブル２０１は、これらケーブル押さえフィン１１に挟持されるとともに、鈎状の先端側部分によって保持され、図８中に矢印Ｂで示す接続箱本体１の前方側に抜け落ちることが防止されている。
【００５９】
なお、この防滴型ケーブル接続箱において、光ファイバケーブルの接続作業等の際には、蓋体２を開けるが、ヒンジ３が接続箱本体１の下部にあるので、蓋体２を開いた状態に保持するためのストッパ等を必要としない。したがって、部品点数が少なく済み、製造コストも安くなる。
【００６０】
作業終了後、蓋体２を閉じるときには、蓋体２をヒンジ３を中心として上方に回動させた後、接続箱本体１の奥方に押し込むと、蓋体２の上部に形成された爪が接続箱本体１に係止され、蓋体２が開かないにようにロックされる。このように、蓋体２を閉じる際には、単に蓋体２を押し込めばよい。
【図面の簡単な説明】
【００６１】
【図１】本発明の一実施形態の防滴型ケーブル接続箱の構成を一部を破断して示す斜視図である。
【図２】前記防滴型ケーブル接続箱の接続箱本体の構成を示す斜視図である。
【図３】前記防滴型ケーブル接続箱の構成（蓋体を開蓋した状態の正面側）を示す斜視図である。
【図４】前記防滴型ケーブル接続箱の構成（蓋体を開蓋した状態の背面側）を示す斜視図である。
【図５】前記防滴型ケーブル接続箱の接続箱本体の要部（防水スペース）の構成を示す斜視図である。
【図６】前記防滴型ケーブル接続箱の接続箱本体の要部（ケーブル把持片）の構成を示す斜視図である。
【図７】前記防滴型ケーブル接続箱の接続箱本体の要部（シャッタ板）の構成を示す斜視図である。
【図８】前記防滴型ケーブル接続箱の接続箱本体の要部（ケーブル押さえフィン）の構成を示す斜視図である。
【図９】従来の防滴型ケーブル接続箱の一部切り欠き側面図である。
【符号の説明】
【００６２】
１    接続箱本体
１ｂ  ケーブル導入部
２    蓋体
３    ヒンジ部
４    防水スペース
５    ケーブル保持板
６    隔壁
７    凹部
８    ケーブル把持片
９    ケーブル把持部
１０    シャッタ板
１１    ケーブル押さえフィン
【図１】
2007206124.tif 000003
【図２】
2007206124.tif 000004
【図３】
2007206124.tif 000005
【図４】
2007206124.tif 000006
【図５】
2007206124.tif 000007
【図６】
2007206124.tif 000008
【図７】
2007206124.tif 000009
【図８】
2007206124.tif 000010
【図９】
2007206124.tif 000011